(57)【要約】【課題】  空気中に浮遊する菌およびウイルスを効率的に死滅または除去することが可能な殺菌装置を提供する。【解決手段】  殺菌装置３００は、イオン発生素子１０１、吸気ファン３０２、およびイオン処理室３０３を備えている。吸気ファン３０２は、イオン発生素子１０１で発生した正イオンおよび負イオンを箱型のイオン処理室３０３内に拡散させる。それにより、正イオンおよび負イオンは、寿命が数秒から十数秒であっても、消滅する前に、イオン処理室３０３内の隅々にまで到達する。【選択図】        図３
2006223634.tif 000002
【特許請求の範囲】
【請求項１】
イオンを発生させるイオン発生素子と、
前記イオン発生素子を内包する筐体を有し、該筐体内で前記イオンによる殺菌処理が行なわれるイオン処理室と、
前記イオン処理室に設けられた吸気口および排気口と、
前記吸気口から前記排気口へ送風する送風手段とを備えた、殺菌装置。
【請求項２】
前記排気口の近傍に設けられ、空気を通過させるが、前記イオンを通過させない性質を有するイオン非通過部材をさらに備えた、請求項１に記載の殺菌装置。
【請求項３】
前記イオン非通過部材は、導電性物質である、請求項２に記載の殺菌装置。
【請求項４】
前記イオン非通過部材は、金網状である、請求項２に記載の殺菌装置。
【請求項５】
前記イオン非通過部材は、多孔体である、請求項２に記載の殺菌装置。
【請求項６】
前記イオン非通過部材は、筒状連結物である、請求項２に記載の殺菌装置。
【請求項７】
前記イオン非通過部材は、静電フィルタである、請求項２に記載の殺菌装置。
【発明の詳細な説明】
【技術分野】
【０００１】
本発明は、イオンを用いる殺菌装置に関するものである。
【背景技術】
【０００２】
従来から、空間を浮遊する微生物を死滅（殺菌）させるかまたは除去（除菌）するために、空気が濾過材を通過する殺菌装置が用いられている。この殺菌装置においては、ヘパフィルタと呼ばれる濾過材が用いられている。なお、ヘパフィルタは、０．１μｍ程度の非常に目の細かい濾過材である。
【０００３】
しかしながら、ヘパフィルタを用いる場合には、０．１μｍ以上の粒子を９９．８％除去できる性能しか保証されていない。より具体的に言えば、ヘパフィルタは、除菌後の微生物の残存率を初期値の１０-6以下の値にすることができないため、ヘパフィルタによって殺菌が行なわれたということはできない。つまり、ヘパフィルタは、除菌機能を有していても、殺菌機能を有していない。
【０００４】
また、ヘパフィルタによって捕捉されなかった微生物が、ヘパフィルタから空気中へ戻ってしまう。このような微生物をヘパフィルタによって捕捉することは困難である。さらに、使用期限が過ぎたヘパフィルタには多量の微生物が固着している。したがって、ヘパフィルタは、長期間使用された後、かなり危険な汚染物となるおそれがある。
【０００５】
また、壁、床、または机等の固形材料の殺菌または除菌には、液状の殺菌剤または消毒剤のような薬品が用いられている。これらの薬品は生物にとって好ましいものではないため、それらを空気中に噴霧することは行なわれていない。
【０００６】
一方、併存する生物が存在しない環境においては、紫外線照射を用いて微生物の殺菌または除菌する方法が採用されている。この方法によれば、大気圧かつ常温の雰囲気内で殺菌または除菌処理をすることができる。また、この方法で使用される装置は、小型で、低コストで製造され得るものであり、また、メンテナンスが容易なものであるため、様々な分野で用いられている。
【０００７】
また、紫外線を用いる殺菌または除菌方法は、消費電力が比較的小さく、あらゆる微生物に対して効果的であり、かつ、殺菌の信頼性が高いという長所を有している。また、この方法によれば、紫外線を照射し続けた状態で、殺菌または除菌の対象物を保管することができる。このような殺菌または除菌方法を実際に用いる分野としては、食品分野、医療分野、半導体製造プロセスに関わる分野、製薬分野、バイオテクノロジー分野、および理容に関わる分野等が挙げられる。
【０００８】
以下に、紫外線を用いる殺菌または除菌方法が採用されている分野を具体的に説明する。
【０００９】
（１）  医療分野
外科手術を行なう手術室または医療行為を行なう治療室には、空調設備を介して、または、部屋に出入りする人の衣装を介して、種々の微生物が進入するおそれがある。また、外部から消毒されて持ち込まれるメス、ハサミ、ピンセット、または注射器のような医療器具にも雑菌が付着しており、その雑菌が医療行為に際して患者の体内に進入するおそれがあることを否定することはできない。
【００１０】
また、医療器具の洗浄および殺菌を実施しても、次にそれを使用するまでの期間の保管状態が良好でない場合には、菌が再度、医療器具に付着するおそれがある。医療分野においては、感染症を引き起こさないような細心の注意をはらうことが望まれるため、医療器具に紫外線を照射する殺菌または除菌方法が採用されている。
【００１１】
（２）  製薬分野またはバイオテクノロジー分野
製薬分野またはバイオテクノロジー分野においては、雑菌が薬品・原料等に混入することは当然避けなければならないことであるため、外気導入路または人もしくは物の移動経路において微生物の殺菌を行なう必要がある。そのため、紫外線照射による殺菌は極めて有用である。ただし、空間を浮遊する微生物に対して紫外線を高い効率で照射することはできない。したがって、製薬器具等に付着した微生物を殺菌する方法が効果的である。そのため、前述のヘパフィルタのような濾過材を用いる殺菌方法においては、ヘパフィルタに付着した微生物を殺滅するために、ヘパフィルタに紫外線を照射するという方法も採用されている。
【００１２】
前述のような除菌または殺菌方法は、紫外線を照射するという極めて簡便な作業だけを行なえばよいため、広く用いられている。
【００１３】
ここで、前述の方法で用いられる紫外線の光の強度は、殺菌の用途および環境に応じて、適宜選択されるものである。紫外線ランプの形状および大きさは、所定のものに限定されるものではない。紫外線ランプの形状は、直線状、円形状、Ｕ字型、Ｗ字型、Ｓ字型、または球形型等のいずれの形状であってもよい。紫外線ランプの大きさは、殺菌または除菌すべき領域の大きさに応じて、適宜選択されるものである。
【００１４】
紫外線照射装置の設置方法は、蛍光灯のように、室内空間に向けて紫外線を照射するような設置方法であってもよいが、ある一定の空間にだけ紫外線の効果が及ぶように仕切り板等によって箱型の空間を形成する方法であってもよい。
【特許文献１】特開２００４−９７４６４号公報
【発明の開示】
【発明が解決しようとする課題】
【００１５】
上記従来の殺菌方法のうち紫外線照射を用いる方法は、紫外線が照射されない領域が生じてしまうという問題を有している。この紫外線が照射されない領域においては、殺菌または除菌が行なわれず、浮遊菌が増殖する恐れがある。浮遊菌は、調理分野においては食中毒を引き起こし、医療分野においては、感染症を引き起こす。
【００１６】
そこで、殺菌または除菌の対象物に対してあらゆる方向から紫外光が照射されるように、殺菌または除菌装置にミラーまたは反射板等の反射材を設ける方法が考えられる。しかしながら、この方法を用いて光が照射されない領域を無くそうとしても、紫外線を照射するべき装置の数が多い場合には、その装置自体の影までも無くすことができなくなる。
【００１７】
また、殺菌または除菌の対象物を空中に保持することは不可能であり、殺菌または除菌の対象物と床面との接触面に微生物が付着したとしても、そこに紫外線を照射することができない。したがって、その接触面については、殺菌または除菌の対象物を裏返して、別途紫外線を照射する必要がある。さらに、前述の仕切り板を設けると、仕切り板による影が生じてしまう。また、殺菌または除菌の対象物の数が増加し、その対象物を積み重ねる場合には、その対象物同士の接触面に紫外線が照射されない。
【００１８】
また、紫外線は人体（特に皮膚や眼）に悪影響を与えることはよく知られている。比較的弱い紫外光であっても、それを長期間浴び続けると、たとえば、白内障、皮膚ガン、または、皮膚の腫れもしくはタダレを引き起こす。これらの問題を避けるために、紫外線が外部に漏れないような密閉構造または遮光板内で紫外線照射を実行する必要がある。
【００１９】
また、紫外線が殺菌または除菌の対象物に照射されると、その対象物が、劣化、退色、または脆化するおそれがある。たとえば、書籍または新聞等を保存する場合、紫外線により紙が劣化するという問題がある。また、プラスチック部を有する製品においては、紫外線照射によりプラスチックが脆くなってしまう。したがって、殺菌または除菌の方法として、紫外線照射が必ずしも有用であるとは言えない。
【００２０】
そこで、紫外線照射以外の殺菌または除菌方法も実用化されている。紫外線照射の代わりに、殺菌または除菌効果を得る方法としては、オゾンの殺菌または除菌効果を用いる方法が提案されている。オゾンの殺菌または除菌効果は、非常に高く、紫外線照射による殺菌または除菌効果と同様の殺菌または除菌効果が得られる。
【００２１】
一方、オゾンの殺菌または除菌効果を十分に発揮させるためには、オゾン濃度を数ｐｐｍ程度にまで高める必要がある。しかしながら、オゾン濃度が高い場合には、呼吸器系統、眼、および粘膜等への刺激が大きいため、オゾン濃度次第では、人体に悪影響が及ぼされたり、人が死傷したりする。また、オゾンの特有の臭いにより人は不快感を感じる。そのため、殺菌または除菌方法においてオゾンを用いる場合、オゾンが人体に触れないようにオゾンの外部空間への拡散を抑制するための換気手段が必要になる。したがって、オゾン発生装置は、コストが高くなり、大型化してしまうという問題がある。
【００２２】
また、オゾンはかなり活性化されており、ウイルスまたは細菌に対してだけでなく、オゾン発生装置が備え付けられている殺菌または除菌装置を構成する樹脂および金属まで劣化させる。したがって、菌の増殖を防ぐために殺菌または除菌装置を連続的に運転すると、細菌または除菌装置自体を劣化させてしまうという問題が生じる。
【００２３】
さらに、殺菌または除菌効果をさらに高める方法として、紫外線およびオゾンの双方の効果を組合せた、殺菌または除菌装置も開発されているが、この装置においても、前述の問題と同様の問題が生じる。
【００２４】
以上のように、現在用いられている紫外線またはオゾンを用いる殺菌または除菌装置は、実用的なレベルに達していない。
【００２５】
具体的には、紫外線およびオゾンを用いる殺菌装置を人が存在する室内空間で使用することはできない。また、フィルタ濾過式の微生物除去装置は、空気の汚染度次第では、一般に３〜５ヶ月に１回フィルタ交換を必要とするとともに、有害微生物を含む汚れが付着したフィルタを有害廃棄物（医療用廃棄物）として処理する必要がある。
【００２６】
本発明は、上述の問題に鑑みなされたものであり、その目的は、気中に浮遊する菌およびウイルスを効率的に死滅または除去することが可能な殺菌装置を提供することである。
【課題を解決するための手段】
【００２７】
本発明の殺菌装置は、イオンを発生させるイオン発生素子と、イオン発生素子を内包する筐体を有し、筐体内でイオンによる殺菌処理が行なわれるイオン処理室と、イオン処理室に設けられた吸気口および排気口と、吸気口から排気口へ送風する送風手段とを備えている。
【００２８】
上記の構成によれば、筐体によって外部空間から区切られたイオン処理室内でイオンにより殺菌処理が行なわれるため、常にイオン濃度を所定値以上の値に維持することが可能になる。また、送風手段により、筐体内の隅々までイオンが行き渡るため、イオン濃度が低い部分が形成されない。したがって、イオンによる殺菌または除菌効果を高めることができる。
【００２９】
また、前述の殺菌装置は、排気口の近傍に設けられ、空気を通過させるが、イオンを通過させない性質を有するイオン非通過部材をさらに備えていることが望ましい。
【００３０】
上記の構成によれば、イオンがイオン処理室から外部へ放出されることが防止される。そのため、イオン処理室から外部へイオンが放出されることに起因する悪影響を考慮して、殺菌装置を設置する必要がないため、殺菌装置の設置場所の自由度が高められる。
【００３１】
また、イオン非通過部材が導電性物質であれば、導電性物質にイオンを吸着させて、イオンの電荷を消滅させることができる。また、イオン非通過部材が金網状であれば、電界障壁によってイオンをイオン処理室内に閉じ込めことにより、イオンの電荷を消滅させることができる。また、イオン非通過部材は、多孔体であってもよく、筒状連結物であってもよい。また、イオン非通過部材が静電フィルタであれば、内部電界を有する静電フィルタとイオンとの反応によってイオンの電荷を消滅させることができる。
【発明を実施するための最良の形態】
【００３２】
以下、図面を参照しながら、本発明の実施の形態の殺菌装置を説明する。
【００３３】
まず、図１を用いて、実施の形態の殺菌装置内に設けられているイオン発生素子を説明する。
【００３４】
図１に示すように、イオン発生素子１０１の表面には、誘電体１２０が設けられている。誘電体１２０の裏面には誘電電極１２１が設けられている。誘電体１２０の表面には、誘電電極１２１と対向するように、イオン発生電極１０３が取付けられている。図１においては、イオン発生電極１０３の形状は、網状になっているが、特にこれに限定されるものではなく、イオンを発生することができる形状であれば他の形状、たとえば、針形状であってもよい。
【００３５】
イオン発生電極１０３および誘電電極１２１は、それぞれ、リード線１２２を介して高圧パルス駆動回路１２３に電気的に接続されている。高圧パルス駆動回路１２３はイオン発生素子１０１の内部に形成されている。イオン発生電極１０３と誘電電極１２１との間に、正および負の値を交互に繰り返すパルス電圧（たとえば、ピーク値が、たとえば、２．７ｋＶ）が印加されると、放電によりイオン発生電極１０３に正イオンおよび負イオンが発生する。正イオンおよび負イオンは、それぞれ、Ｈ+（Ｈ2Ｏ）nおよびＯ2-（Ｈ2Ｏ）nである。なお、ｎは任意の自然数である。これらの正イオンおよび負イオンが空気中に同時に放出されると、互いの間で化学反応が生じ、活性種である過酸化水素Ｈ2Ｏ2またはヒドロキシラジカル・ＯＨが生成される。過酸化水素Ｈ2Ｏ2またはヒドロキシラジカル・ＯＨは、極めて強力な活性を示すものであるため、空気中に存在する浮遊菌およびウイルスを死滅させることができる。
【００３６】
また、イオン濃度は、イオン発生素子１０１近傍では１００万個／ｃｍ3という高密度であるが、イオンが空気の流れに乗り拡散されるとすぐに、１〜１０万個／ｃｍ3に低下する。さらに、イオンがたとえば８畳間といった広い範囲に拡散されると、イオン濃度は通常１０００個／ｃｍ3にまで低下してしまい、空気中に浮遊する細菌およびウイルスの濃度よりも小さくなる。その結果、イオンは、十分な殺菌力を有しなくなる。しかしながら、所定の限られた空間にイオンが放出されれば、イオン濃度が１０万個／ｃｍ3である状態を維持することができるため、イオンの殺菌力を維持することができる。
【００３７】
また、密閉空間にイオンを充満させるメリットとしては、密閉空間内でのイオンの滞留時間を長くすることができるため、短期間ではイオンの殺菌作用が及ばない隅部にもイオンを行き渡らせることができる。その結果、細菌等に対するイオンの曝露時間を相対的に高めることができるため、より効果的な殺菌作用が得られる。
【００３８】
次に、図２を用いて、イオン発生電極１０３と誘電電極１２１とに印加されるパルス電圧の波と時間との関係を説明する。イオン発生素子１０１において用いられるパルス電圧は、徐々に減衰する正弦波状のものである。また、パルス電圧は、期間Ｔ１において、イオン発生電極１０３と誘電電極１２１とに印加された後、期間Ｔ２において、休止する。本実施の形態のイオン発生素子１０１において、図２に示される期間Ｔ１および期間Ｔ２のサイクルが繰り返される。パルス電圧は、正弦波の周波数が２０ｋＨｚであり、１サイクルの繰り返し周期が６０Ｈｚである。また、期間Ｔ１は、１ミリ秒であり、期間Ｔ２は、約１５．７（＝１０００／６０−１）ミリ秒であり、パルス電圧のピーク電圧に関しては、正電圧が＋２．７ｋＶであり、負電圧が−２．７ｋＶである。
【００３９】
上述のような図２に示すパルス電圧を用いてイオン発生素子１０１を駆動すると、正イオンおよび負イオンの発生と同時に発生するオゾンが発生し難くなる。
【００４０】
また、前述の正イオンおよび負イオンは、浮遊する菌の死滅または除去に対して非常に効果的であるとともに、人体に対しては無害である。また、このイオン発生素子１０１は、低消費電力で駆動するものであるため、その連続運転に対する信頼性が高い。
【００４１】
本実施の形態の殺菌装置は、イオン発生素子１０１、送風手段、送風手段によってイオン発生素子１０１が送り込まれる空間を有する筐体を備えている。この殺菌装置において、筐体内に侵入した浮遊菌を殺菌または除菌するためには、イオン発生素子１０１のイオン発生部から１０ｃｍ離れた位置において、正イオンおよび負イオンのそれぞれの濃度が１０００００個／ｃｍ3以上、すなわち、筐体内の正イオンおよび負イオンを含むイオン全体の濃度が約２００００個／ｃｍ3程度である必要がある。したがって、筐体の大きさに応じて筐体内のイオン濃度を調節するために、送風手段の送風強度および個数、ならびに、イオン発生素子１０１の数を調節することが必要である。
【００４２】
また、殺菌装置が筐体の外部へイオンが流出しない構造であれば、筐体内においてはイオン発生素子１０１によって発生した正イオンおよび負イオンが充満された状態が維持されるため、殺菌または除菌の効率を高めることができるとともに、イオンの殺菌装置の外部への流出を防止することもできる。
【００４３】
また、前述の殺菌装置は、その大きさおよび形状に対する制限は全く無い。従来から用いられている紫外線照射による殺菌装置は、紫外線の光が照射されない領域を有しないようにする必要があるが、本実施の形態の殺菌装置は、イオン発生素子１０１において生成された正イオンおよび負イオンが送風手段によって筐体内の隅々まで行き渡るような形状であれば、その形状はいかなるものであってもよい。
【００４４】
イオン発生素子１０１において発生する正イオンおよび負イオンは、数秒から数十秒の寿命を有しているため、たとえ殺菌装置の形状が歪んでいたとしても、正イオンおよび負イオンが殺菌装置の筐体内の隅々まで到達し、殺菌または除菌の効果が発揮される。
【００４５】
また、殺菌装置の大きさも、特定の大きさに限定されない。ただし、筐体の容積が大きくなると、イオン発生素子１０１から所定の位置までの間にイオンの寿命が尽きてしまう。その結果、殺菌または除菌効果が低減されることがある。この場合には、より多くの正イオンおよび負イオンを分散して配置されたイオン発生素子１０１から放出すればよい。たとえば、イオン発生素子１０１の数を増加させるか、または、イオンの発生濃度を高くするように駆動条件の変更を行なう方法等が採用されれば、殺菌装置の筐体の容積が大きくなったとしても、殺菌または除菌の効果を維持することができる。
【００４６】
次に、図３を用いて、実施の形態の殺菌または除菌機能を有する殺菌装置を説明する。本実施の形態の殺菌装置３００は、箱状の筐体からなるイオン処理室３０３、イオン処理室３０３内に設けられた前述のイオン発生素子１０１、吸気口３０１の近傍に設けられ、外部の空気をイオン処理室３０３内へ吸引する送風手段としての吸気ファン３０２、および排気口３０５の近傍に設けられたイオン非通過部材３０４を備えている。
【００４７】
なお、イオン処理室３０３には器具を出し入れするための扉が設けられているが、図３では、扉は描かれていない。
【００４８】
イオン発生素子１０１および吸気ファン３０２は、直方体のイオン処理室３０３の一の内側面に取付けられている。イオン発生素子１０１と吸気ファン３０２とを駆動させると、イオン処理室３０３の隅々に正イオンおよび負イオンが行き渡り、イオン処理室３０３内において殺菌または除菌効果が得られる。なお、イオン発生素子１０１および吸気ファン３０２の取付位置は図３に示す位置に限定されない。
【００４９】
また、イオン発生素子１０１は、イオン処理室３０３内に正イオンおよび負イオンを供給できるものであれば、いかなるものであってもよい。また、イオン発生素子１０１と吸気ファン３０２とは、互いに隣接する位置に取付けられている必要はなく、正イオンおよび負イオンをイオン処理室３０３内の空間の隅々に行き渡らせることができるのであれば、互いに所定の距離をおいて設けられてもよい。また、吸気ファン３０２による送風方法に関する限定はなく、イオン発生素子１０１で生成された正イオンおよび負イオンを拡散させることができる送風手段であれば、いかなる送風手段が用いられてもよい。
【００５０】
また、イオン処理室の排気口３０５にはイオン非通過部材３０４が取付けられている。イオン非通過部材３０４は、空気を通過させるが、イオンを通過させずに消滅させる。したがって、排気口３０５から空気が排出されても、イオンが排出されることはない。
【００５１】
以下、本実施の形態の殺菌装置によって得られる作用効果を説明する。
【００５２】
本実施の形態の殺菌装置は、吸気ファン３０２によって、イオン発生素子１０１によって発生した正イオンおよび負イオンを箱型のイオン処理室３０３内に拡散させることができる。そのため、正イオンおよび負イオンの寿命が、数秒から十数秒であっても、それらが消滅する前に、イオン処理室３０３内の隅々にまで正イオンおよび負イオンが到達する。したがって、良好な殺菌または除菌効果が発揮される。
【００５３】
また、送風手段としての吸気ファン３０２の取付位置および個数は限定されず、また、イオン処理室３０３の箱の形状が複雑であっても、正イオンおよび負イオンをイオン処理室３０３の隅々に確実に行き渡らせることができる。したがって、従来から用いられている紫外線照射機能を有する殺菌装置であれば、光が照射されない位置において殺菌または除菌を行なうことができないという問題が生じるが、本実施の形態の殺菌装置３００によれば、その問題が解消される。また、殺菌装置３００は、排気口３０５にイオン非通過部材３０４が設けられているため、イオン処理室３０３内に吸引された空気を排気口３０５から排出することができるが、未反応のイオンを外部に放出しない。そのため、殺菌装置３００は、イオンの放出による悪影響の心配がないため、いかなる場所にも設置することができる。
【００５４】
また、本実施の形態の殺菌装置３００を使用する場合に、吸気ファン３０２等の送風手段の送風能力が足らない場合には、吸気ファン３０２を複数設置すればよい。
【００５５】
以下、本実施の形態の殺菌装置３００の実施例を説明する。
【実施例１】
【００５６】
本実施例１の殺菌装置３００の排気口３０５のイオン非通過部材３０４は、アースされた１００メッシュのＳＵＳ３０４製金網からなっている。イオン非通過部材３０４が前述のような金網状の導電性材料からなっている殺菌装置３００を用いて、人間の生活環境に存在するバチルス菌（炭疽菌と同種）に対する殺菌効果を測定する実験を行なった。その結果、殺菌装置３００のイオン発生素子１０１を駆動し、正イオンおよび負イオンがイオン処理室３０３内に放出されると、イオン処理室３０３内の空気中に浮遊しているバチルス菌は死滅していることが分かった。
【００５７】
なお、前述の実験では、まず、吸気口３０１においてバチルス菌が噴霧され、イオン処理室３０３内の初期の菌の濃度がエアサンプリングによって測定される。また、イオン処理室３０３を通過して、排気口３０５から排出される空気中に含まれるバチルス菌の濃度が測定される。このとき、排気口３０５から排出される空気中のイオン濃度も併せて測定される。それらの結果が表１に示されている。
【００５８】
【表１】
2006223634.tif 000003
【実施例２】
【００５９】
実施例２の殺菌装置３００の排気口３０５のイオン非通過部材３０４は、発泡ニッケル多孔体（厚さ２ｍｍ空孔率９５％、平均開口径０．８ｍｍ）からなっており、この発泡ニッケル多孔体がアースされている。発泡ニッケル多孔体は、ニッケル水素電池またはニッケルカドミウム電池がペースト状に混練された電極活物質を充填保持する際に使用される住友電工製のものである。実施例１の実験結果と同様に、本実施例の実験結果が表１に示されている。
【実施例３】
【００６０】
実施例３の殺菌装置３００の排気口３０５のイオン非通過部材３０４は、肉厚０．２ｍｍ、内径０．６ｍｍ、かつ長さ３ｍｍのＳＵＳ３０４製の筒状材料が、縦に５０本および横に２００本の合計１００００本束ねられた状態で焼結された筒状連結体からなっている。その筒状連結体は、板状であり、アースされている。実施例１および２の実験結果と同様に本実施例の実験結果が表１に示されている。
【実施例４】
【００６１】
実施例４の殺菌装置３００の排気口３０５のイオン非通過部材３０４は、市販の静電フィルタからなっている。実施例１〜３の実験結果と同様に本実施例の実験結果が表１に示されている。
【００６２】
なお、表１には、比較例１および２の実験結果も示されている。
【００６３】
比較例１の殺菌装置においては、殺菌装置３００のうちイオン発生素子１０１が設けられていない。また、比較例２の殺菌装置においては、図４に示すように、殺菌装置３００のうちイオン非通過部材３０４が設けられていない。
【００６４】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【００６５】
【図１】実施の形態のイオン発生装置の模式図である。
【図２】実施の形態のイオン発生素子のイオン発生電極と誘電電極との間に印加されるパルス電圧の波形の模式図である。
【図３】実施の形態の殺菌装置の模式図である。
【図４】比較例２の殺菌装置の模式図である。
【符号の説明】
【００６６】
１０１  イオン発生素子、１０３  イオン発生電極、１２０  誘電体、１２１  誘電電極、１２２  リード線、１２３  高圧パルス駆動回路、３００  殺菌装置、３０１  吸気口、３０２  吸気ファン、３０３  イオン処理室、３０４  イオン非通過部材、３０５  排気口。
【図１】
2006223634.tif 000004
【図２】
2006223634.tif 000005
【図３】
2006223634.tif 000006
【図４】
2006223634.tif 000007